(57)【要約】【課題】曲げ部を有する放電管を用いて高輝度化を図ったときでも、部品点数が増加するのを防止しつつ、放電管を適切に保持することができる照明装置、及びこれを用いた表示装置を提供する。【解決手段】導光板７を備えた照明装置２において、直線状に形成された直管部８ａ〜８ｃ、９ａ〜９ｃ、及び曲げ部８ｄ、８ｅ、９ｄ、９ｅを各々有する第１及び第２の放電管８、９と、導光板７に対して、第１及び第２の各放電管８、９を所定位置で保持するホルダー１０〜１３を備え、ホルダー１０〜１３は、第１及び第２の放電管８、９の一方の放電管の先端部８ａ１、８ｃ１、９ａ１、９ｃ１と、第１及び第２の放電管８、９の他方の放電管の先端部以外の部分とに取り付けられている。【選択図】図２
2010033944.tif 000002
【特許請求の範囲】
【請求項１】
導光板を備えた照明装置であって、
直線状に形成された複数の直管部、及び２つの前記直管部の間で連続的に設けられた曲げ部を各々有する第１及び第２の放電管と、
前記導光板に対して、前記第１及び第２の各放電管を所定位置で保持するホルダーを備え、
前記ホルダーは、前記第１及び第２の放電管の一方の放電管の先端部と、前記第１及び第２の放電管の他方の放電管の先端部以外の部分とに取り付けられている、
ことを特徴とする照明装置。
【請求項２】
前記ホルダーは、前記第１及び第２の放電管の一方の放電管の先端部と、前記第１及び第２の放電管の他方の放電管の曲げ部とに取り付けられている請求項１に記載の照明装置。
【請求項３】
前記第１及び第２の各放電管は、第１の曲げ部を介在させて互いに略直交するように設けられた第１及び第２の直管部と、第２の曲げ部を介在させて互いに略直交するように設けられた第２及び第３の直管部を有するコ字状の放電管である請求項１または２に記載の照明装置。
【請求項４】
前記第１及び第２の各放電管は、第１の曲げ部を介在させて互いに略直交するように設けられた第１及び第２の直管部を有するＬ字状の放電管である請求項１または２に記載の照明装置。
【請求項５】
請求項１〜４のいずれか１項に記載の照明装置を用いたことを特徴とする表示装置。
【発明の詳細な説明】
【技術分野】
【０００１】
本発明は、照明装置、特に導光板が設けられたエッジライト型の照明装置、及びこれを用いた表示装置に関する。
【背景技術】
【０００２】
近年、例えば液晶表示装置は、在来のブラウン管に比べて薄型、軽量などの特長を有するフラットパネルディスプレイとして、液晶テレビ、モニター、携帯電話などに幅広く利用されている。このような液晶表示装置には、光を発光する照明装置（バックライト）と、照明装置に設けられた光源からの光に対してシャッターの役割を果たすことで所望画像を表示する液晶パネルとが含まれている。
【０００３】
また、上記照明装置では、液晶パネルに対する光源の配置の仕方により直下型とエッジライト型に大別されるが、例えば携帯電話やノート型ＰＣ、ＰＤＡなどのモバイル機器に用いられる液晶表示装置では、直下型に比べ薄型化を図り易いエッジライト型が一般的に使用されている。すなわち、エッジライト型の照明装置では、光源を液晶パネルの側方に配置することにて薄型化が図られており、液晶パネルの非表示面に対向配置される発光面を備えた導光板を使用して光源からの光を当該液晶パネルに与えるようになっている。
【０００４】
また、従来の照明装置には、例えば下記特許文献１に記載されているように、導光板の３つの側面に対して、それぞれ対向配置される３つの直管部を有するコ字状の放電管を使用したものが提案されている。つまり、この従来の照明装置では、上記のようなコ字状の放電管を用いることにより、直線状の放電管を複数設ける場合に比べて、放電管の電極部に接続される配線などの部品点数を減らしつつ、高輝度で組立簡単な照明装置を構成できるとされていた。
【特許文献１】国際公開第２００７／０９４１０９号パンフレット
【発明の開示】
【発明が解決しようとする課題】
【０００５】
しかしながら、上記のような従来の照明装置では、高輝度化を図るために、放電管の設置数を増加させたときに、照明装置の部品点数が増加したり、放電管を適切に保持できなかったりするという問題点を生じることがあった。
【０００６】
ここで、図６を参照して、従来の照明装置での上記問題点について具体的に説明する。
【０００７】
図６は、従来の照明装置での問題点を説明する図である。
【０００８】
図６に示すように、コ字状の放電管７０には、直線状に形成された第１、第２、及び第３の直管部７０ａ、７０ｂ、７０ｃが設けられている。また、この放電管７０では、第１及び第２の直管部７０ａ、７０ｂは第１の曲げ部７０ｄを介在させて互いに略直交するように設けられ、第２及び第３の直管部７０ｂ、７０ｃは第２の曲げ部７０ｅを介在させて互いに略直交するように設けられている。
【０００９】
同様に、コ字状の放電管７１には、直線状に形成された第１、第２、及び第３の直管部７１ａ、７１ｂ、７１ｃが設けられている。また、この放電管７１では、第１及び第２の直管部７１ａ、７１ｂは第１の曲げ部７１ｄを介在させて互いに略直交するように設けられ、第２及び第３の直管部７１ｂ、７１ｃは第２の曲げ部７１ｅを介在させて互いに略直交するように設けられている。
【００１０】
また、従来の照明装置において、高輝度化を図るために、例えば図６に示すように、図示を省略した導光板の側面に対し、第１〜第３の直管部７０ａ〜７０ｃ及び７１ａ〜７１ｃが対向されるように、放電管７０、７１を配置したときに、従来の照明装置では、放電管７０、７１毎にホルダーを設けて、導光板に対して、各放電管７０、７１を所定位置で保持する必要があった。つまり、例えば放電管７０では、通常、図６に“Ａ”にて示す第２の直管部７０ｂ側の製造公差に比べて、図６に“Ｂ”にて示す第１及び第３の直管部７０ａ、７０ｃの先端部側の製造公差が大きく設定されている。より具体的にいえば、放電管７０では、製造公差Ａ及びＢは例えば１００±０．２ｍｍ及び１００±３ｍｍとそれぞれ定められており、製造公差Ｂが製造公差Ａの１０倍以上の値に設定されている。
【００１１】
それ故、従来の照明装置では、図６に例示するように、放電管７０、７１を配置したときに、第２の直管部７０ｂ、７１ｂについては、１つのホルダーを用いて、保持することは可能である。しかしながら、第１及び第３の各直管部７０ａ、７１ａ及び７０ｃ、７１ｃについて、各々１つのホルダーを用いて保持したときには、割れなどの破損が放電管７０、７１に生じて適切に保持できないおそれがあった。このため、従来の照明装置では、直管部７０ａ、７１ａ及び７０ｃ、７１ｃ毎にホルダーを設けることが要求されて、照明装置の部品点数が増加した。
【００１２】
上記の課題を鑑み、本発明は、曲げ部を有する放電管を用いて高輝度化を図ったときでも、部品点数が増加するのを防止しつつ、放電管を適切に保持することができる照明装置、及びこれを用いた表示装置を提供することを目的とする。
【課題を解決するための手段】
【００１３】
上記の目的を達成するために、本発明にかかる照明装置は、導光板を備えた照明装置であって、
直線状に形成された複数の直管部、及び２つの前記直管部の間で連続的に設けられた曲げ部を各々有する第１及び第２の放電管と、
前記導光板に対して、前記第１及び第２の各放電管を所定位置で保持するホルダーを備え、
前記ホルダーは、前記第１及び第２の放電管の一方の放電管の先端部と、前記第１及び第２の放電管の他方の放電管の先端部以外の部分とに取り付けられていることを特徴とするものである。
【００１４】
上記のように構成された照明装置では、ホルダーが第１及び第２の放電管の一方の放電管の先端部と、前記第１及び第２の放電管の他方の放電管の先端部以外の部分とに取り付けられて、これら各放電管を導光板に対する所定位置で保持する。これにより、上記従来例と異なり、各放電管に破損を生じることなく、これらの放電管を一体的に保持することができる。この結果、従来例と異なり、曲げ部を有する放電管を用いて高輝度化を図ったときでも、部品点数が増加するのを防止しつつ、放電管を適切に保持することができる。
【００１５】
また、上記照明装置において、前記ホルダーは、前記第１及び第２の放電管の一方の放電管の先端部と、前記第１及び第２の放電管の他方の放電管の曲げ部とに取り付けられていることが好ましい。
【００１６】
この場合、ホルダーは第１及び第２の各放電管に破損が発生するのをより確実に防いだ状態で、これらの各放電管を適切に保持することができる。
【００１７】
また、上記照明装置において、前記第１及び第２の各放電管は、第１の曲げ部を介在させて互いに略直交するように設けられた第１及び第２の直管部と、第２の曲げ部を介在させて互いに略直交するように設けられた第２及び第３の直管部を有するコ字状の放電管であってもよい。
【００１８】
この場合、ホルダーはコ字状の第１及び第２の各放電管を導光板に対する所定位置で適切に保持することができる。
【００１９】
また、上記照明装置において、前記第１及び第２の各放電管は、第１の曲げ部を介在させて互いに略直交するように設けられた第１及び第２の直管部を有するＬ字状の放電管であってもよい。
【００２０】
この場合、ホルダーはＬ字状の第１及び第２の各放電管を導光板に対する所定位置で適切に保持することができる。
【００２１】
また、本発明の表示装置は、上記いずれかの照明装置を用いたことを特徴とするものである。
【００２２】
上記のように構成された表示装置では、曲げ部を有する放電管を用いて高輝度化を図ったときでも、部品点数が増加するのを防止しつつ、放電管を適切に保持することができる照明装置が用いられているので、部品点数が少ない高性能な表示装置を容易に構成することができる。
【発明の効果】
【００２３】
本発明によれば、曲げ部を有する放電管を用いて高輝度化を図ったときでも、部品点数が増加するのを防止しつつ、放電管を適切に保持することができる照明装置、及びこれを用いた表示装置を提供することが可能となる。
【発明を実施するための最良の形態】
【００２４】
以下、本発明の照明装置、及びこれを用いた表示装置の好ましい実施形態について、図面を参照しながら説明する。なお、以下の説明では、本発明を透過型の液晶表示装置に適用した場合を例示して説明する。また、各図中の構成部材の寸法は、実際の構成部材の寸法及び各構成部材の寸法比率等を忠実に表したものではない。
【００２５】
［第１の実施形態］
図１は本発明の第１の実施形態にかかる照明装置及び液晶表示装置を説明する分解斜視図であり、図２は上記照明装置の要部構成を示す平面図である。図１において、本実施形態では、本発明の照明装置２と、照明装置２からの光が照射される表示部としての液晶パネル３とが設けられており、これらの照明装置２と液晶パネル３とが透過型の液晶表示装置１として一体化されている。また、液晶表示装置１では、照明装置２と液晶パネル３との間に、例えば拡散シート４、プリズム（集光）シート５、及び偏光シート６が設置されており、これら光学シートにより、図１にｚ方向で示す方向に出光される照明装置２からの照明光の輝度上昇などが行われて、液晶パネル３の表示性能を向上させるようになっている。
【００２６】
照明装置２には、図の上側の発光面が液晶パネル３側に設けられた断面矩形状の導光板７と、この導光板７を囲むように同一平面（図のｘ−ｙ平面）上に設置された第１及び第２の放電管８、９とが設けられている。
【００２７】
具体的にいえば、図２を参照して、第１の放電管８は第１の曲げ部８ｄを介在させて互いに略直交するように設けられた第１及び第２の直管部８ａ、８ｂと、第２の曲げ部８ｅを介在させて互いに略直交するように設けられた第２及び第３の直管部８ｂ、８ｃを有するコ字状の放電管である。同様に、第２の放電管９は第１の曲げ部９ｄを介在させて互いに略直交するように設けられた第１及び第２の直管部９ａ、９ｂと、第２の曲げ部９ｅを介在させて互いに略直交するように設けられた第２及び第３の直管部９ｂ、９ｃを有するコ字状の放電管である。
【００２８】
また、第１及び第２の放電管８、９には、例えば冷陰極蛍光管が用いられている。また、第１の放電管８には、第２の放電管９よりも、大きさが若干大きいものが選択されており、図２に示すように、第１の放電管８は、導光板７に対して、第２の放電管９の外側に設置されている。具体的にいえば、第１の放電管８では、直管部８ｂ、８ｃ、及び８ａがそれぞれ導光板７の側面７ａ、７ｂ、及び７ｄに対向するように配置されている。また、第２の放電管９では、直管部９ｂが導光板７の側面７ｃに対向するように配置されるとともに、直管部９ａ及び９ｃがそれぞれ直管部８ａ及び８ｃの導光板７側で、当該導光板７の側面７ｄ及び７ｂに対向するように配置されている。
【００２９】
さらに、第１及び第２の各放電管８、９は、ホルダー１０、１１、１２、及び１３により、導光板７に対する所定位置で保持されるように構成されている。そして、本実施形態の照明装置２では、第１及び第２の各放電管８、９からの光が導光板７の側面７ａ〜７ｄに入光されるとともに、その入光された光が導光板７の発光面７ｅから液晶パネル３側に照射されるようになっている。
【００３０】
ここで、図３も参照して、本実施形態の各ホルダー１０〜１３について具体的に説明する。
【００３１】
図３（ａ）〜図３（ｄ）は、各々図２に示したホルダーの構成を示す平面図である。尚、図３（ａ）〜図３（ｄ）は、図２の紙面の裏面側（液晶パネルとは反対側）から見たときの各ホルダー１０〜１３の構成を示している。
【００３２】
図３において、各ホルダー１０〜１３は、例えばシリコンゴムなどの合成樹脂を用いて構成されており、各ホルダー１０〜１３には、第１及び第２の放電管８、９の所定の部分が取り付けられるための溝などが形成されている。
【００３３】
すなわち、図３（ａ）に示すように、ホルダー１０には、Ｌ字状に構成された溝部１０ａが形成されており、第１の放電管８の先端部以外の部分としての曲げ部８ｄが溝部１０ａに取り付けられている。また、ホルダー１０には、円柱状に開口された孔部１０ｂが形成されており、第２の放電管９の直管部９ａの先端部９ａ１が取り付けられている。また、ホルダー１０には、円柱状に開口された孔部１０ｃが孔部１０ｂの先端と連通するように形成されており、第２の放電管９の上記先端部９ａ１に電気的に接続されるケーブル（図示せず）が孔部１０ｃに挿入されている。
【００３４】
同様に、図３（ｂ）に示すように、ホルダー１１には、Ｌ字状に構成された溝部１１ａが形成されており、第１の放電管８の先端部以外の部分としての曲げ部８ｅが溝部１１ａに取り付けられている。また、ホルダー１１には、円柱状に開口された孔部１１ｂが形成されており、第２の放電管９の直管部９ｃの先端部９ｃ１が取り付けられている。また、ホルダー１１には、円柱状に開口された孔部１１ｃが孔部１１ｂの先端と連通するように形成されており、第２の放電管９の上記先端部９ｃ１に電気的に接続されるケーブル（図示せず）が孔部１１ｃに挿入されている。
【００３５】
同様に、図３（ｃ）に示すように、ホルダー１２には、Ｌ字状に構成された溝部１２ａが形成されており、第２の放電管９の先端部以外の部分としての曲げ部９ｄが溝部１２ａに取り付けられている。また、ホルダー１２には、円柱状に開口された孔部１２ｂが形成されており、第１の放電管８の直管部８ａの先端部８ａ１が取り付けられている。また、ホルダー１２には、円柱状に開口された孔部１２ｃが孔部１２ｂの先端と連通するように形成されており、第１の放電管８の上記先端部８ａ１に電気的に接続されるケーブル（図示せず）が孔部１２ｃに挿入されている。
【００３６】
同様に、図３（ｄ）に示すように、ホルダー１３には、Ｌ字状に構成された溝部１３ａが形成されており、第２の放電管９の先端部以外の部分としての曲げ部９ｅが溝部１３ａに取り付けられている。また、ホルダー１３には、円柱状に開口された孔部１３ｂが形成されており、第１の放電管８の直管部８ｃの先端部８ｃ１が取り付けられている。また、ホルダー１３には、円柱状に開口された孔部１３ｃが孔部１３ｂの先端と連通するように形成されており、第１の放電管８の上記先端部８ｃ１に電気的に接続されるケーブル（図示せず）が孔部１３ｃに挿入されている。
【００３７】
以上のように構成された本実施形態の照明装置２では、ホルダー１０〜１３がそれぞれ第１及び第２の放電管８、９の先端部９ａ１、９ｂ１、８ａ１、８ｂ１と、第１及び第２の放電管８、９の曲げ部（先端部以外の部分）８ｄ、８ｅ、９ｄ、９ｅとに取り付けられて、これらの第１及び第２の各放電管８、９を導光板７に対する所定位置で保持する。これにより、本実施形態の照明装置２では、上記従来例と異なり、各放電管８、９に破損を生じることなく、これらの放電管８、９を一体的に保持することができる。この結果、本実施形態の照明装置２では、従来例と異なり、曲げ部８ｄ、８ｅ、９ｄ、９ｅを有する放電管８、９を用いて高輝度化を図ったときでも、部品点数が増加するのを防止しつつ、放電管８、９を適切に保持することができる。
【００３８】
また、本実施形態の照明装置２では、ホルダー１０〜１３がコ字状の第１及び第２の各放電管８、９を導光板７に対する所定位置で適切に保持することができる。
【００３９】
また、本実施形態の液晶表示装置１では、曲げ部８ｄ、８ｅ、９ｄ、９ｅを有する放電管８、９を用いて高輝度化を図ったときでも、部品点数が増加するのを防止しつつ、放電管８、９を適切に保持することができる照明装置２が用いられているので、部品点数が少ない高性能な液晶表示装置１を容易に構成することができる。
【００４０】
［第２の実施形態］
図４は、本発明の第２の実施形態にかかる照明装置の要部構成を示す平面図である。図において、本実施形態と上記第１の実施形態との主な相違点は、コ字状の放電管に代えて、第１及び第２の各放電管にＬ字状の放電管を用いた点である。なお、上記第１の実施形態と共通する要素については、同じ符号を付して、その重複した説明を省略する。
【００４１】
すなわち、図４に示すように、本実施形態の照明装置２では、導光板７の外側で、同一平面（図のｘ−ｙ平面）上に設置された第１及び第２の放電管１４、１５が設けられている。第１の放電管１４は、第１の曲げ部１４ｃを介在させて互いに略直交するように設けられた第１及び第２の直管部１４ａ、１４ｂを有するＬ字状の放電管である。同様に、第２の放電管１５は、第１の曲げ部１５ｃを介在させて互いに略直交するように設けられた第１及び第２の直管部１５ａ、１５ｂを有するＬ字状の放電管である。
【００４２】
また、第１及び第２の放電管１４、１５には、例えば冷陰極蛍光管が用いられている。また、第２の放電管１５には、第１の放電管１４よりも、大きさが若干大きいものが選択されており、図４に示すように、第２の放電管１５は、導光板７に対して、第１の放電管１４の外側に設置されている。具体的にいえば、第１の放電管１４では、直管部１４ａ及び１４ｂがそれぞれ導光板７の側面７ａ及び７ｂに対向するように配置されている。また、第２の放電管１５では、直管部１５ｂが導光板７の側面７ｃに対向するように配置されるとともに、直管部１５ａが直管部１４ｂの外側（導光板７とは反対側）で、当該導光板７の側面７ｂに対向するように配置されている。
【００４３】
さらに、第１及び第２の各放電管１４、１５は、ホルダー１６により、導光板７に対する所定位置で保持されるように構成されている。そして、本実施形態の照明装置２では、第１及び第２の各放電管１４、１５からの光が導光板７の側面７ａ〜７ｃに入光されるとともに、その入光された光が導光板７の発光面７ｅから液晶パネル３側に照射されるようになっている。
【００４４】
ここで、図５も参照して、本実施形態のホルダー１６について具体的に説明する。
【００４５】
図５は、図４に示したホルダーの構成を示す平面図である。尚、図５は、図４の紙面の裏面側（液晶パネルとは反対側）から見たときのホルダー１６の構成を示している。
【００４６】
図５において、ホルダー１６は、例えばシリコンゴムなどの合成樹脂を用いて構成されており、ホルダー１６には、第１及び第２の放電管１４、１５の所定の部分が取り付けられるための溝などが形成されている。
【００４７】
すなわち、図５に示すように、ホルダー１６には、Ｌ字状に構成された溝部１６ａが形成されており、第２の放電管１５の先端部以外の部分としての曲げ部１５ｃが溝部１６ａに取り付けられている。また、ホルダー１６には、円柱状に開口された孔部１６ｂが形成されており、第１の放電管１４の直管部１４ｂの先端部１４ｂ１が取り付けられている。また、ホルダー１６には、円柱状に開口された孔部１６ｃが孔部１６ｂの先端と連通するように形成されており、第１の放電管１４の上記先端部１４ｂ１に電気的に接続されるケーブル（図示せず）が孔部１６ｃに挿入されている。
【００４８】
以上の構成により、本実施形態の照明装置２では、第１の実施形態と同様な作用・効果を奏することができる。また、本実施形態の照明装置２では、ホルダー１６がＬ字状の第１及び第２の各放電管１４、１５を導光板７に対する所定位置で適切に保持することができる。
【００４９】
尚、上記の説明以外に、例えば第１の放電管１４の曲げ部１４ｃと第２の放電管１５の直管部１５ａの先端部とに取り付けられるホルダーを設けて、これらの第１及び第２の各放電管１４、１５を上記所定位置で保持する構成でもよい。
【００５０】
尚、上記の実施形態はすべて例示であって制限的なものではない。本発明の技術的範囲は特許請求の範囲によって規定され、そこに記載された構成と均等の範囲内のすべての変更も本発明の技術的範囲に含まれる。
【００５１】
例えば、上記の説明では、本発明を透過型の液晶表示装置に適用した場合について説明したが、本発明の照明装置はこれに限定されるものではなく、光源の光を利用して、画像、文字などの情報を表示する非発光型の表示部を備えた各種表示装置に適用することができる。具体的には、半透過型の液晶表示装置、あるいは液晶パネルをライトバルブに用いた投写型表示装置に本発明の照明装置を好適に用いることができる。
【００５２】
また、上記の説明以外に、本発明は、レントゲン写真に光を照射するシャウカステンあるいは写真ネガ等に光を照射して視認をし易くするためのライトボックスや、看板や駅構内の壁面などに設置される広告等をライトアップする発光装置の照明装置として好適に用いることができる。
【００５３】
また、上記の説明では、コ字状の第１及び第２の放電管またはＬ字状の第１及び第２の放電管を用いた場合について説明したが、本発明はこれに限定されるものではなく、直線状に形成された複数の直管部、及び２つの直管部の間で連続的に設けられた曲げ部を各々有する第１及び第２の放電管と、導光板に対して、第１及び第２の各放電管を所定位置で保持するホルダーを備え、ホルダーが第１及び第２の放電管の一方の放電管の先端部と、第１及び第２の放電管の他方の放電管の先端部以外の部分とに取り付けられているものであればよい。具体的には、ホルダーを用いて、コ字状の第１の放電管とＬ字状の第２の放電管とを一体的に保持する構成でもよい。
【００５４】
但し、上記の各実施形態のように、ホルダーが第１及び第２の放電管の一方の放電管の先端部と、第１及び第２の放電管の他方の放電管の曲げ部とに取り付けられている場合の方が、第１及び第２の各放電管に破損が発生するのをより確実に防いだ状態で、これらの各放電管を適切に保持することができる点で好ましい。
【００５５】
また、上記の説明では、同一平面上に設置された第１及び第２の放電管をホルダーにて一体的に保持する場合について説明したが、本発明はこれに限定されるものではなく、例えば上下二段に配置された同じ大きさの第１及び第２の放電管をホルダーにて一体的に保持する構成でもよい。
【００５６】
また、上記の説明では、第１及び第２の各放電管に冷陰極蛍光管を用いた場合について説明したが、本発明の放電管はこれに限定されるものではなく、熱陰極蛍光管やキセノン蛍光管などの他の放電管を使用することもできる。
【００５７】
また、上記の説明では、断面矩形状の導光板を用いた場合について説明したが、本発明の導光板はこれに限定されるものではなく、例えば断面楔状の導光板を用いてもよい。
【産業上の利用可能性】
【００５８】
本発明は、曲げ部を有する放電管を用いて高輝度化を図ったときでも、部品点数が増加するのを防止しつつ、放電管を適切に保持することができる照明装置、及びこれを用いた表示装置に対して有用である。
【図面の簡単な説明】
【００５９】
【図１】本発明の第１の実施形態にかかる照明装置及び液晶表示装置を説明する分解斜視図である。
【図２】上記照明装置の要部構成を示す平面図である。
【図３】（ａ）〜（ｄ）は、各々図２に示したホルダーの構成を示す平面図である。
【図４】本発明の第２の実施形態にかかる照明装置の要部構成を示す平面図である。
【図５】図４に示したホルダーの構成を示す平面図である。
【図６】従来の照明装置での問題点を説明する図である。
【符号の説明】
【００６０】
１  液晶表示装置
２  照明装置
７  導光板
８  第１の放電管（コ字状の放電管）
８ａ  第１の直管部
８ａ１  先端部
８ｂ  第２の直管部
８ｃ  第３の直管部
８ｃ１  先端部
８ｄ  第１の曲げ部（先端部以外の部分）
８ｅ  第２の曲げ部（先端部以外の部分）
９  第２の放電管（コ字状の放電管）
９ａ  第１の直管部
９ａ１  先端部
９ｂ  第２の直管部
９ｃ  第３の直管部
９ｃ１  先端部
９ｄ  第１の曲げ部（先端部以外の部分）
９ｅ  第２の曲げ部（先端部以外の部分）
１０、１１、１２、１３、１６  ホルダー
１４  第１の放電管（Ｌ字状の放電管）
１４ａ  第１の直管部
１４ｂ  第２の直管部
１４ｂ１  先端部
１４ｃ  第１の曲げ部
１５  第２の放電管（Ｌ字状の放電管）
１５ａ  第１の直管部
１５ｂ  第２の直管部
１５ｃ  第１の曲げ部（先端部以外の部分）
【図１】
2010033944.tif 000003
【図２】
2010033944.tif 000004
【図３】
2010033944.tif 000005
【図４】
2010033944.tif 000006
【図５】
2010033944.tif 000007
【図６】
2010033944.tif 000008